(57)【特許請求の範囲】
【請求項１】
脚の回動軸となる連結フレームに複数の脚部を水平方向に回動可能に軸止して形成した脚と、連結フレームに対して上下動可能に装着したセンターフレームと、台座下側の異なる位置において脚上部及びセンターフレーム上部にそれぞれ軸連結し、脚の回動と共に二つ折り状に折り畳み可能に形成した台座と、センターフレームと連結フレームとを固定及び解除可能にセンターフレーム側に装着したロックプレートと、センターフレーム側に対して起立、折り畳み可能に連結したハンドルとを具備した構成を有する手押し台車。
【請求項２】
脚の回動軸となる連結フレームに複数の脚部を水平方向に回動可能に軸止して形成した脚と、連結フレームに対して上下動可能に装着したセンターフレームと、台座下面の異なる位置において脚上部及びセンターフレーム上部にそれぞれ軸連結し、脚の回動と共に二つ折り状に折り畳み可能に形成した台座とを具備した構成を有する手押し台車。
【請求項３】
複数の脚部を、垂直部の上下部に上下張出し部をそれぞれ連設した脚フレームを有して形成し、連結フレームを、縦支柱の上下に上下支持プレートをそれぞれ有して形成し、脚部の上下部を連結フレームの上下支持プレート間に枢支し、センターフレームを、縦杆の上部に前後方向の水平杆を有して形成し、この縦杆を上記縦支柱に上方からスライド可能に嵌合し、台座を二つ割板状の左右台座を有して形成し、上記上張出し部の先端部と台座のコーナー部付近とを軸連結し、水平杆両側部と左右台座の二つ割内側部とを軸連結した構成を有する請求項１又は２に記載の手押し台車。
【請求項４】
センターフレームに設けた水平杆にロックプレートを前後方向に摺動可能に装着し、ロックプレートには、脚上部乃至連結フレームの上支持プレートに離脱可能に係止するラッチを突設し、かつ、複数の軸を連結したリンク機構の一端部をロックプレート側に軸止し、他端部にロックレバーを延設し、ロックレバーの操作によって、リンク機構を締め付け乃至解除することによりロックプレートを摺動させ、ラッチの係止、離脱を行わせるように設定した構成を有する請求項１〜３のいずれかに記載の手押し台車。
【請求項５】
ロックプレート後部にハンドル固定部を突設して、センターフレーム後方に出没可能となし、センターフレームの後部にハンドル下端部を軸止してハンドルを前後方向に回動可能となし、該ハンドル下端部に、ハンドル起立状態においてセンターフレーム端部に当接してハンドルの後方への倒傾を規制する係止プレート部を形成し、かつ上記ハンドル固定部が突出状態において、この固定部に係止してハンドルの前方への倒傾を規制する係止部を形成した構成を有する請求項１〜４のいずれかに記載の手押し台車。
【請求項６】
ハンドル上部にはグリップ回動機構を介して水平及び下方に開閉可能にハンドルグリップを連設し、該回動機構は、押圧移動可能な係止プレートを介装すると共に、ハンドルグリップの基端部にグリップ水平維持用の係止部と、垂下維持用のフック部を形成し、この係止部が係止プレート部に係合して定置され、係止プレート押圧状態において係合が解除されるように設置し、フック部が係止プレート部に係合して定置され、係止プレート押圧状態において係合が解除されるように設置した構成を有する請求項１〜５のいずれかに記載の手押し台車。
【発明の詳細な説明】
【０００１】
【発明の属する技術分野】
本発明は、折り畳み可能な台車であって、立体状態において台座に荷物を載置して移動可能な手押し台車に関する。
【０００２】
【従来の技術】
室内で荷物を手軽に移動する手段として手押し台車が用いられている。従来の台車は、荷物の載せ台の底部に直接キャスターを装着し、手押しハンドルを装着した構成か、或いは周囲に適宜高さの囲い枠を設置した構成のものであり、或いはまた、このような囲い枠を組み立て分解自在に構成したものなどが知られている。
【０００３】
【発明が解決しようとする課題】
台車は不使用時は邪魔にならない場所に置くしかないが、従来の台車であると、不使用時に邪魔にならないようにするためには小型にする外なく、積載量と反比例的となり、大型に形成したものは、その占有場所を少なくするためには載せ台を立て掛けるように置くしかなく、取っ手の突出分も不使用時に邪魔になり、取り扱いに不便さがあった。
本発明は、このような手押し台車の使い勝手の悪さを解消すべくなしたものであり、軽量性とデザイン性を向上させ、積載効率と収納効率を同時に向上させるべく、折り畳み構造と作動構造に独自の工夫をなし、安全性を向上させ、室内での使用にも好適な手押し台車を提供せんとするものである。
【０００４】
【課題を解決するための手段】
上記課題を解決すべく、本発明は、脚の回動軸となる連結フレームに複数の脚部を水平方向に回動可能に軸止して形成した脚と、連結フレームに対して上下動可能に装着したセンターフレームと、台座下側の異なる位置において脚上部及びセンターフレーム上部にそれぞれ軸連結し、脚の回動と共に二つ折り状に折り畳み可能に形成した台座と、センターフレームと連結フレームとを固定及び解除可能にセンターフレーム側に装着したロックプレートと、センターフレーム側に対して起立、折り畳み可能に連結したハンドルとを具備して手押し台車を構成したことを特徴とするものである。
また、脚の回動軸となる連結フレームに複数の脚部を水平方向に回動可能に軸止して形成した脚と、連結フレームに対して上下動可能に装着したセンターフレームと、台座下面の異なる位置において脚上部及びセンターフレーム上部にそれぞれ軸連結し、脚の回動と共に二つ折り状に折り畳み可能に形成した台座とを具備して手押し台車を構成したことも特徴とする。
【０００５】
上記複数の脚部を、垂直部の上下部に上下張出し部をそれぞれ連設した脚フレームを有して形成し、連結フレームを、縦支柱の上下に上下支持プレートをそれぞれ有して形成し、脚部の上下部を連結フレームの上下支持プレート間に枢支し、センターフレームを、縦杆の上部に前後方向の水平杆を有して形成し、この縦杆を上記縦支柱に上方からスライド可能に嵌合し、台座を二つ割板状の左右台座を有して形成し、上記上張出し部の先端部と台座のコーナー部付近とを軸連結し、水平杆両側部と左右台座の二つ割内側部とを軸連結した構成とすることができる。
また、センターフレームに設けた水平杆にロックプレートを前後方向に摺動可能に装着し、ロックプレートには、脚上部乃至連結フレームの上支持プレートに離脱可能に係止するラッチを突設し、かつ、複数の軸を連結したリンク機構の一端部をロックプレート側に軸止し、他端部にロックレバーを延設し、ロックレバーの操作によって、リンク機構を締め付け乃至解除することによりロックプレートを摺動させ、ラッチの係止、離脱を行わせるように設定した構成とすることができる。
【０００６】
さらに、ロックプレート後部にハンドル固定部を突設して、センターフレーム後方に出没可能となし、センターフレームの後部にハンドル下端部を軸止してハンドルを前後方向に回動可能となし、該ハンドル下端部に、ハンドル起立状態においてセンターフレーム端部に当接してハンドルの後方への倒傾を規制する係止プレート部を形成し、かつ上記ハンドル固定部が突出状態において、この固定部に係止してハンドルの前方への倒傾を規制する係止部を形成した構成とすることができる。
また、ハンドル上部にはグリップ回動機構を介して水平及び下方に開閉可能にハンドルグリップを連設し、該回動機構は、押圧移動可能な係止プレートを介装すると共に、ハンドルグリップの基端部にグリップ水平維持用の係止部と、垂下維持用のフック部を形成し、この係止部が係止プレート部に係合して定置され、係止プレート押圧状態において係合が解除されるように設置し、フック部が係止プレート部に係合して定置され、係止プレート押圧状態において係合が解除されるように設置した構成とすることができる。
【０００７】
各脚部は、水平方向に回動可能であるため、等間隔に拡開して使用に供し、前後方向に閉じて左右巾を狭め、収納しやすくすることができる。
連結フレームは各脚部を連結し、センターフレームを装着しやすくする。
台座は、二つ折り可能であり、水平一枚板状に開いて使用に供し、台座上に適宜荷物を積載可能である。二つ折りした台座は、閉じ合わせた脚の左右両側に縦状態に納まり、全体をコンパクトにし、収納或いは運搬に便利なものとなる。
センターフレームは、脚と台座を回動可能に連設し、互いの連動運動を円滑にする。また、各部の固定、解除のための操作機構を配設するのに好適である。
ロックプレートはこの固定、解除のための機構を簡潔に形成するのに好適である。
ハンドル及びグリップは台車を移動するのに便利であり、折り畳み収納可能とすることにより台車のコンパクトな収納を可能とする。
【０００８】
【発明の実施の形態】
以下、本発明を一実施例として示した図面によって説明する。
図１〜３は本発明に係る一例の手押し台車の組み立て状態の全体図、図４〜７は折り畳み状態の全体図を示し、図８〜図１６に各部の構造図を示してある。
手押し台車は、各脚部１１を連結フレーム１２で開閉自在に連結した脚１と、連結フレーム１２に上下動自在に装着したセンターフレーム２と、分離可能な左右台座３１，３２をセンターフレーム２に枢支した台座３と、センターフレームの後部に摺動自在に装着したロックプレート４と、ロックプレートをロックレバー４１により摺動させるリンク機構４２と、センターフレーム後部に回動、固定自在に連結したハンドル５とを有して構成してある。各部の構成と作用効果を以下に説明する。
【０００９】
脚１は、図９，１０にも示してあるように、前後各左右の四脚部１１の各内端部を、中心に設定した連結フレーム１２に回動自在に枢支１３して、各脚部が水平方向に回動可能となし、連結フレーム１２を中心として各脚部が四方に放射状に拡開でき、また、前左右脚部が前方に、後左右脚部が後方に閉じ合わせられるようにしてある。各脚の下端に移動手段としてのキャスター１４を装着してある。なお、脚部乃至脚部の接地部は安定性を考慮して４本乃至４箇所以上とするのが好ましく、４本乃至４箇所に限定されない。また、図示例では、走行安定性を高めるために後キャスターを前キャスターよりも大輪としてあり、その分だけ脚部の下部高さを前後異ならせてある。
【００１０】
各脚部１１は、図８にも示してあるように、それぞれ脚フレーム１５とこれを化粧被覆する脚カバー１６とにより形成してある。
脚フレーム１５は、垂直部１５ａの上端に水平状の上張出し部１５ｂを、下端に外側方向への下張出し部１５ｃを一体的に形成した略々コの字に形成してあり、上下張出し部１５ｂ，１５ｃの各内端部を垂直部１５ａよりも内方に若干突出形成し、この突出部に前記枢支１３構造となる回転軸挿通用の軸受け孔を上下に貫通形成し、上張出し部１５ｂの各先端部の上側には、水平軸を挿通する軸受け孔１５ｅを有した軸受け部材１５ｄ（図では断面上向きコの字状部材）を、水平方向に回動自在に軸止１５ｆして装着してある。
脚カバー１６は、上記各脚フレームを外観的に装飾するためのものであり、各脚フレームにそれぞれ被嵌して取り付けられる。嵌合構造は任意であり、ねじ止めして固定してもよく、脚フレームと脚カバーの対応部位に形成してある係合部により分離可能に係止するようにしてもよい。
【００１１】
連結フレーム１２は、図８〜１０にも示してあるように、中空の縦支柱１２ａの上下端に水平状の支持プレート１２ｂ，１２ｃを固着し、上支持プレート１２ｂは四脚部１１の各上張出し部１５ｂの内端部上側にほぼ接合状態となり、下支持プレート１２ｃは四脚部１１の各下張出し部１５ｃの内端部下側にほぼ接合状態となるように設定し、四脚部１１が水平方向に回動自在となるように、その内端部を両支持プレート１２ｂ，１２ｃに対してそれぞれ枢支１３し、上支持プレート１２ｂの縦支柱上端部分には支柱の中空部が上方に連通した開口部１２ｄを形成し、中央後方部分にはロック孔１２ｅを穿孔して形成してある。
【００１２】
２はセンターフレームであり、連結フレーム１２の縦支柱１２ａ内に上下スライド自在に嵌合し、開口部１２ｄから上方に延び出し自在な縦杆２１と、その上端に前後水平方向に形成した中空四角筒形状の水平杆２２とを一体的骨格となるように構成し、水平杆２２の左右両側の所定部位に、台座３を左右方向に回転自在に軸止する軸受け部材２３を装着して形成してある。手押し台車の重心部位乃至重心部位付近の水平杆２２の上面には手押し台車を手持ち運搬できるようにベルト状の取っ手２４を装着してある。
水平杆２２は台座の左右中心位置において前後方向に定位し、左右方向に変位しないように設置しておく必要があり、そのために、縦杆２１及びこれが嵌合する縦支柱１２ａを、いずれも対応する四角形その他の多角形、或いは楕円形その他の互いに回転し合わない形の筒形状とし、嵌合した縦杆２１が回転してしまわないように形成してある。
【００１３】
３は台座であり、四角形状その他の任意形状に、ポリプロピレン、アルミニウムその他の任意の単体素材、積層乃至結合素材等で形成した板状体の二つ割型（左右台座３１，３２）としてある。左右台座３１，３２の下面の各内縁付近（二つ割の接合縁付近）にそれぞれ複数の軸受け部材３３を固着し、水平杆２２に設けた軸受け部材２３と互いに回動自在となるように軸連結し、両台座３１，３２は、この軸連結の水平軸を回転軸として水平杆２２に対して回転自在に支持され、水平杆２２の上側で水平一枚板状となり、両側に分離垂下して縦平行状に対向し収納状態となる。
また、左右台座の下面において、センターフレーム縦杆２１上端部から見て台座各外隅部方向（前外隅と後外隅方向）に軸受け部材３４を固着し、各脚フレーム１５の上張出し部１５ｂの先端上側に装着してある軸受け部材１５ｄと互いに回動自在となるように軸連結してあり、上記軸受け部材３４の回転軸３４ａは、脚１１が連結フレーム１２（縦支柱１２ａ）に対して回動した場合に、上張出し部１５ｂの先端部が前後方向に摺動し得る距離分以上の長さをもって形成し、少なくとも前左右の回転軸３４ａ（後ろ左右も可）の後部に圧縮ばね３４ｂを介装し、前左右の脚部１１，１１が前方に閉じる方向（左右台座が二つ折り状態となる方向）に若干の付勢力を与えている。
【００１４】
上記構成によれば、連結フレーム１２に枢支された四脚部１１は、前後方向から見て開閉自在に回動可能であり、連結フレーム１２には上下スライド可能にセンターフレーム２が装着され、四脚部の各先端部の軸受け部材１５ｄと左右台座の軸受け部材３４とが枢支され、センターフレームの水平杆２２の軸受け部材２３と左右台座の軸受け部材３３とが枢支されているので、四脚部の開閉と左右台座の開閉とは連動し、この開閉に連動してセンターフレームが上下スライドし、安定した作動機構となる。
センターフレームの水平杆２２の後部には、上記作動機構をロックし、ハンドルを固定するロック機構を、図１１〜１４にも示すように配設してある。
【００１５】
水平杆２２の後部下面には、一定巾だけ前後摺動が可能なようにロックプレート４が装着してある。図では、ロックプレート４の前後部２ヵ所に前後方向に一定長のスライド孔４ａを穿設し、孔巾よりも大きいねじ頭を有するねじ４ｂをこの孔を通して水平杆の下面に固着することにより、ロックプレート４を摺動可能に固定し、該プレートが後方に摺動した状態でロック状態となり、前方に摺動した状態でロック解除となるようにしてある。
すなわち、ロックプレート４の前部（縦杆２１寄り）には、後方に向いた係止部を有してなるフック状のラッチ４ｃを下方に突設し、このラッチ４ｃは、左右台座３１，３２が水平杆２２上側で水平一枚板状の台座３となった状態において、連結フレーム１２の上支持プレート１２ｂに形成したロック孔１２ｅに係止するように設定してある。
【００１６】
ロックプレート４の後部には、後端部から後方に配設したロックレバー４１を含めたリンク機構４２を形成してある。このリンク機構４２は、ロックプレート４の中間部に突起４２ａを下方（図では斜め後方向き）に突設し、この先端部に若干長さ片状の連動リンク４２ｂの一端部を軸止し、他端部にレバープレート４２ｃの一端部を軸止し、レバープレート４２ｃは３方向の支点を有したプレート片状とし、その一点を上記連動リンク４２ｂとの軸止点とし、別の一点を水平杆２２の側面への軸止点４２ｄとし、他の点にロックレバー４１を形成してある。
ロックレバー４１は、握りやすい形状に形成したものとするために、上記レバープレート４２ｃとは別部材となし、その基端部を上記他の点に固定し、斜め下後方に延出して配設してある。
上記突起４２ａ乃至ロックプレート４には、水平杆２２の中空内において、ラッチ４ｃをロック孔１２ｅに係止する係止方向に付勢する補助ばね４３を配設してある。
また、ロックプレート４の後端部下側には、水平杆２２の後端よりも後方に突出可能な楔状のハンドル固定部４４を突設してある。
【００１７】
上記リンク機構４２は、ロックレバー４１を手で後方に引く（引き上げる）と、連動してレバープレート４２ｃが軸止点４２ｄを軸として回動し、連動リンク４２ｂの軸止点を後方に回動させることにより連動リンク４２ｂを後方に引っ張り、突起４２ａ及びこれと一体となっているロックプレート４を後方に引っ張るように作用し、ラッチ４ｃを後方に引いてロック孔１２ｅに係止させる。また、同時にハンドル固定部４４によりハンドル５を使用状態の起立位置に固定させるように作用する。
ロックレバー４１を締め付ければ、リンク機構により上記ラッチ４ｃの係止及びハンドル固定部４４の固定が維持される。
ロックレバー４１を押す（押し下げる）と、上記と逆作用により、また補助ばね４３の付勢により、ラッチ４ｃの係止が外れるので、台座３を自由に折り畳み、かつ、四脚部１１を前後に閉じ合わせることができ、かつ、ハンドル固定部４４の固定が解除でき、ハンドル５を折り畳むことができる。
【００１８】
上記ハンドル５は、水平杆２２の後端部に連結フレーム５２を介装してハンドルフレーム５１の下端部を連結し、前後方向に回動自在かつ起立状態において固定可能に設置してある。
この連結フレーム５２は、水平杆２２の後部から後方に突出するように形成し、フレームの前部を水平杆２２の側面と平行な軸止プレート部５２ａとし、この前端部を水平杆２２の後部側面に軸止５２ｂして水平杆に対して上下方向に回動自在となし、フレームの後部にハンドル５の下端部を固着一体化してある。また、ハンドル５が使用しやすいように上方（図では垂直軸から斜め後方に約２０°傾斜状態）に起立した状態で定置し、これより後方に傾倒しないようにするために、水平杆２２の後部上面に上側から当接してハンドル５の後方への回動を規制する係止プレート部５２ｃを連結フレーム上部に一体的に形成し、さらに、上記使用状態におけるハンドル５を固定し、押した時に前方に傾倒しないようにするために、上記ロックレバー４１を手で後方に引いてリンク機構４２をロック状態に固定し、ハンドル固定部４４を後方に突出させた状態において、ハンドル固定部４４の下面に係合し、連結フレームの上方への回動を規制する係止部５２ｄ（図では断面逆Ｌ字状）を、フレームの下部に一体的に形成してある。連結フレーム５２には、適宜化粧カバー５２ｅを被着させてある。
【００１９】
上記の如き連結フレーム５２によれば、ハンドル５を使用位置に起立させることにより、係止プレート部５２ｃが水平杆２２の後部に係止してハンドル５が定置でき、ロックレバー４１を引くと、ロックプレート４が後方に摺動し、ハンドル固定部４４が後方に突出して係止部５２ｄの上側に突入係止し、連結フレームの上方への回動を規制してハンドル５を固定する。
また、ロックレバー４１を押すと、ロックプレート４が前方に摺動し、ハンドル固定部４４が前方に引っ込み、係止部５２ｄが自由状態となり、連結フレーム５２が回動可能状態となるので、ハンドル５を前方に回動して折り畳むことができる。
ハンドル５は、左右台座３１，３２が左右に折り畳まれ、中央部に空間６が形成されるので、台座に当たることなく折り畳むことができ、空間部に水平杆２２と平行状態で収納することができる。
【００２０】
上記ハンドル５の構造は、図１５，１６にも示してあるように、適宜長さのハンドルフレーム５１の上端部にグリップ回動機構５４を介してハンドルグリップ５３を連設し、ハンドルグリップ５３を左右に開き、下方に閉じた両状態で定置可能なように形成してある。
ハンドルグリップ５３は、グリップフレーム５３ａの外側にグリップ５３ｂを被着した構成とし、或いは単体のグリップ形態として形成してもよい。ハンドルグリップ５３の基端部には回転リング５３ｃを一体的に連設し、この回転リング５３ｃを継ぎ手フレーム５４ａ（後述）の左右端部に回転自在に枢支５３ｄし、ハンドルグリップ５３を水平に開いた状態において該グリップ乃至グリップフレーム５３ａの基端部が継ぎ手フレーム５４ａの左右端に当接或いは係止するようにしてある。
また、回転リング５３ｃは、ハンドルグリップ５３の水平時に、継ぎ手フレーム５４ａ内の中央部に設置してある係止プレート５４ｅの左右側面部に当接する係止部５３ｅと、ハンドルグリップ５３の垂直折り畳み時に、係止プレート５４ｅの左右側縁部上側に引っ掛かり可能なフック部５３ｆとをリング円周部に突設した構成としてある。回転リング５３ｃの露出部分にはリングカバーを被着するのがよい。
【００２１】
グリップ回動機構５４は、略Ｔ状の継ぎ手フレーム５４ａの下部にハンドルフレーム５１の上端部を一体的に連結し、左右端部にハンドルグリップ５３の基端部を回転可能に軸止し、継ぎ手フレーム上面に上方から押圧可能なハンドル回動用ボタン５４ｂを配設し、該ボタン５４ｂから垂直軸５４ｃを垂下させて、その下端部をハンドルフレーム５１の上端板面５４ｄ（或いは継ぎ手フレーム下端部に設けて板面）に設けた貫通孔に挿入支持させ、軸中間部に係止プレート５４ｅを固着し、この係止プレート５４ｅと上記上端板面５４ｄとの間の軸部に圧縮ばね５４ｆを介装して、上記ボタン５４ｂが上方に復帰できるようにしてある。
【００２２】
上記のようにハンドル５を構成することにより、手押し台車使用時において水平状態に開いたハンドルグリップ５３は、基端部に一体的に設けた回転リング５３ｃの係止部５３ｅが係止プレート５４ｅの側面部に係止しているため、回転が規制されて水平状態に固定される。係止プレート５４ｅは圧縮ばね５４ｆによって維持され、自重で下方に落ちることはないので、係止部５３ｅを安定的に係止する。
また、ボタン５４ｂを押圧すると、垂直軸５４ｃ及び係止プレート５４ｅが圧縮ばね５４ｆに抗して下方に移動し、係止プレート５４ｅの側部が回転リングの係止部５３ｅから下方に外れるので、係止部５３ｅ及び回転リング５３ｃは回動自在となり、ハンドルグリップ５３を下方に折り畳むことができる。ハンドルグリップ５３は自重で下方に自然に倒れ込むことにもなる。
【００２３】
ハンドルグリップ５３がハンドルフレーム５１に平行状となったとき、回転リングのフック部５３ｆが係止プレート５４ｅの側端部を乗り越えて上側に引っ掛かり、ハンドルグリップ５３の開き方向への回転を規制するので、グリップをぶらつくことなく定置することができる。
ハンドルグリップ５３を手で左右に押し開くと、フック部５３ｆは係止プレート５４ｅの側端部を上方から下方に押圧して乗り越え、フック部の引っ掛かりが簡単に外れるので、そのままグリップを開けくことができ、さらに係止部５３ｅが係止プレート５４ｅの側端部を上方から下方に押圧状態で乗り越えて係止プレート５４ｅの側方に位置し、グリップが水平状態となり、同時に、係止部５３ｅが係止プレート側面に係止してハンドルグリップを固定することになる。
上記操作は、ボタン５４ｂを同時的に押圧しながらさらに円滑に行うことができる。
係止プレート５４ｅと係止部５３ｅ及びフック部５３ｆは、それぞれ上記のように機能すべき相互関係に設定してある。
【００２４】
上記構成の手押し台車は、ハンドル５を起立させ、ハンドルグリップ５３を左右に開き、左右台座３１，３２を水平一枚板状とすると同時に、四脚部１１を開脚させ、ロックレバー４１を引いて全体機構を固定することにより、使用に供することができ、台座３に荷物を載せ、キャスター１４により移動自在となる。
また、収納時には、ロックレバーを押して全体機構を解除することができ、左右台座を折り畳むと同時に四脚部を閉脚して収納することができる。さらに、ハンドルグリップを折り畳み、ハンドルを左右台座間の空間６に折り畳んでコンパクトに収納することができる。折り畳み状態においては取っ手２４を持って手押し台車を持ち運び可能である。
【００２５】
【発明の効果】
このようにして、本発明によれば、移動可能な脚の上に荷物載置用の台座を有し、ハンドルグリップ付きのハンドルを有した手押し台車を提供することができる。特に、回動可能な脚と折り畳み可能な台座の組み合わせにより、またさらにこれに上下動可能なセンターフレームを介装させることができ、さらにこのフレームにロック機構を設置することができ、それぞれに新規な形態の手押し台車を提供することができる。
このような手押し台車は、台座を左右台座が一枚板状に開くと共に、左右に分離して折り畳むことができ、同時に脚を前後方向に折り畳みことができ、さらにはハンドルも折り畳み自在で、折り畳んだ左右台座間の空間部に納めることができ、開いて使用できると共に、コンパクトに折り畳んで収納することができる手押し台車となる。
脚部を連結フレームを中心として回動可能に連結し、この連結フレームにセンターフレームを上下動可能に装着し、このセンターフレームに左右台座を回動可能に連結し、センターフレームに摺動自在に装着したロックプレートにより、センターフレームと連結フレームを固定及び解除可能とし、この操作をリンク機構を介してロックレバー操作により行えるようにして、簡単な操作により、組み立て折り畳みが簡単で、かつ確実な固定構造のものとして手押し台車を提供することができる。
ロックレバー操作が同時にハンドルの折り畳み、起立固定と連動させることにより取り扱いの一層簡便な手押し台車となる。
手押し台車は、事務椅子と変わらない好ましい外観デザインのものとして製造することができ、家具の一種として提供することも可能である。
【図面の簡単な説明】
【図１】本発明に係る手押し台車の全体外観の斜視図である。
【図２】上記手押し台車の一部の連結部構造を示した全体外観の側面図である。
【図３】上記手押し台車の底面図である。
【図４】図２の台座折り畳み状態での連結部構造を示すハンドル部分省略の手押し台車側面図である。
【図５】図４の台座折り畳み状態、ハンドル起立状態で示した手押し台車の正面図である。
【図６】図４のハンドル部分を折り畳んで連結部構造を示した手押し台車の側面図である。
【図７】図６の状態の手押し台車の正面図である。
【図８】脚の構成部材を示し、（Ａ）は連結フレームの側面略図、（Ｂ）は脚フレームの側面略図、（Ｃ）は脚カバーの側面略図である。
【図９】図８の構成部材を組み合わせた脚の側面図である。
【図１０】図９の脚の上面図である。
【図１１】センターフレームの水平杆後部の連結部構造を示す部分側面図である。
【図１２】図１１の部分底面部である。
【図１３】図１１の連結部構造のハンドル固定構造を示す部分側面図である。
【図１４】図１３のハンドルを折り畳んだ状態の連結部構造を示す部分側面図である。
【図１５】ハンドルグリップの連結部構造を示し、（Ａ）はその上面図、（Ｂ）は左グリップを開き、右グリップを折り畳んだ状態を断面で示した正面図である。
【図１６】ハンドルグリップの固定構造を骨格的構造図として示した正面略図である。
【符号の説明】
１        脚
１１      脚部
１２      連結フレーム
１２ａ    縦支柱
１２ｂ    上支持プレート
１２ｃ    下支持プレート
１２ｄ    開口部
１２ｅ    ロック孔
１３      枢支
１４      キャスター
１５      脚フレーム
１５ａ    垂直部
１５ｂ    上張出し部
１５ｃ    下張出し部
１５ｄ    軸受け部材
１５ｅ    軸受け孔
１５ｆ    軸止
１６      脚カバー
２        センターフレーム
２１      縦杆
２２      水平杆
２３      軸受け部材
２４      取っ手
３        台座
３１      左台座
３２      右台座
３３      軸受け部材
３４      軸受け部材
３４ａ    回転軸
３４ｂ    圧縮ばね
４        ロックプレート
４ａ      スライド孔
４ｂ      ねじ
４ｃ      ラッチ
４１      ロックレバー
４２      リンク機構
４２ａ    突起
４２ｂ    連動リンク
４２ｃ    レバープレート
４２ｄ    軸止点
４３      補助ばね
４４      ハンドル固定部
５        ハンドル
５１      ハンドルフレーム
５２      連結フレーム
５２ａ    軸止プレート部
５２ｂ    軸止
５２ｃ    係止プレート部
５２ｄ    係止部
５２ｅ    化粧カバー
５３      ハンドルグリップ
５３ａ    グリップフレーム
５３ｂ    グリップ
５３ｃ    回転リング
５３ｄ    枢支
５３ｅ    係止部
５３ｆ    フック部
５４      グリップ回動機構
５４ａ    継ぎ手フレーム
５４ｂ    ハンドル回動用ボタン
５４ｃ    垂直軸
５４ｄ    ハンドルフレーム上端板面
５４ｅ    係止プレート
５４ｆ    圧縮ばね
６        空間
【図１】
0003662807.tif 000002
【図２】
0003662807.tif 000003
【図３】
0003662807.tif 000004
【図４】
0003662807.tif 000005
【図５】
0003662807.tif 000006
【図６】
0003662807.tif 000007
【図７】
0003662807.tif 000008
【図８】
0003662807.tif 000009
【図９】
0003662807.tif 000010
【図１０】
0003662807.tif 000011
【図１１】
0003662807.tif 000012
【図１２】
0003662807.tif 000013
【図１３】
0003662807.tif 000014
【図１４】
0003662807.tif 000015
【図１５】
0003662807.tif 000016
【図１６】
0003662807.tif 000017